(57)【要約】【課題】吸汗と吸水に使える吸汗吸水衣料品を提供する。【解決手段】吸水性を有する糸によって筒状に編み上げられた伸縮性のある編物品であって、幅が１５〜２０ｃｍ、長さが２０〜２５ｃｍである。一重の状態で筒状に編み上げられたものを、さらに二重に折り返して端縁同士を縫い合わせて作られている。そのままの状態では、頭に被せて帽子あるいはターバンのように使用でき、さらに二重に折り返して首に入れると首に巻いたり、髪に巻き付けてヘアーバンドとすることができる。日中の吸汗やプールや風呂から上がった後の水分取りに使える。【選択図】図１
0003118661.tif 000002
【実用新案登録請求の範囲】
【請求項１】
吸水性を有する糸によって筒状に編み上げられた伸縮性のある編物品であって、幅が１３〜２３ｃｍ、長さが１５〜３０ｃｍである
ことを特徴とする吸汗吸水衣料品。
【請求項２】
幅が１５〜２０ｃｍ、長さが２０〜２５ｃｍである
ことを特徴とする請求項１記載の吸汗吸水衣料品。
【請求項３】
前記編物品が、一重の状態で筒状に編み上げられたものを、さらに二重に折り返して端縁同士を縫い合わせたものである
ことを特徴とする請求項１または２記載の吸汗吸水衣料品。
【考案の詳細な説明】
【技術分野】
【０００１】
本考案は、吸汗吸水衣料品に関する。さらに詳しくは、人の頭部や首すじに用いる吸汗吸水用の衣料品に関する。
【背景技術】
【０００２】
従来より、防寒用の衣料品として、頭部用では帽子やイヤーバンドがあり、首用ではマフラーがある。したがって、寒い日の手当てはそれなりに充足されている（非特許文献１参照）。
しかるに、防寒用ではなく、夏期や比較的温かい時期に、頭や首すじの汗を吸収したり涼感を感じさせる衣料品は全く存在していない。なお、タオルを頭や首に巻き付けることは男性労働者が良くしているが、ファッション性は全くなく、衣料品と云えるものではない。
【０００３】
【非特許文献１】商品大辞典  １９９２年１０月１５日  第１２版発行  東洋経済新報社発行  1214〜1215頁
【考案の開示】
【考案が解決しようとする課題】
【０００４】
本考案は上記事情に鑑み、頭部や首すじの汗を取ったり、水分を吸収して、涼感を感じさせる吸汗吸水衣料品を提供することを目的とする。
【課題を解決するための手段】
【０００５】
第１考案の吸汗吸水衣料品は、吸水性を有する糸によって筒状に編み上げられた伸縮性のある編物品であって、幅が１３〜２３ｃｍ、長さが１５〜３０ｃｍであることを特徴とする。
第２考案の吸汗吸水衣料品は、第１考案において、幅が１５〜２０ｃｍ、長さが２０〜２５ｃｍであることを特徴とする。
第３考案の吸汗吸水衣料品は、第１または第２考案において、前記編物品が、一重の状態で筒状に編み上げられたものを、さらに二重に折り返して端縁同士を縫い合わせたものであることを特徴とする。
【考案の効果】
【０００６】
第１考案によれば、伸縮性があり幅が人体の頭部にも首にも入る大きさであるので、頭部にも被せ、首に巻いたり頭にのせて帽子として使うことができる。しかも、糸が吸水性を有するが故に、汗を吸いとったり、水分を吸収することができ、涼感も感じさせることができる。
第２考案によれば、幅が頭に被せたり首に入れるのに最適の寸法で、大人なら男女兼用の吸汗吸水衣料品として使用することができる。
第３考案によれば、二重の筒になっているので、大量の汗や水分を吸いとれる。
【考案を実施するための最良の形態】
【０００７】
つぎに、本考案の実施形態を図面に基づき説明する。
図１は本考案の一実施形態に係る吸汗吸水衣料品１を示し、（イ）図は二つ折りした状態の斜視図、（ロ）図は二つ折りにしていない状態の斜視図である。図２は同実施形態に係る吸汗吸水衣料品１の一重の状態での平面図である。図３は同実施形態に係る吸汗吸水衣料品１の二重に折り返して縫い合わせる状態を示す斜視図である。図４は（Ａ）図は首に巻いて使用している状態、（Ｂ）図はヘアーバンドとして使用している状態、（Ｃ）図は帽子として使用している状態の説明図である。
【０００８】
本実施形態の吸汗吸水衣料品１は、編物により作られる。つまり、一系列の糸が作ったループ（編目）の連綴によってできる布地で、ニットとも称される。縦糸と横糸の二系列の糸を直角に交錯してできる織物とは異なり、伸縮性を有する点に特徴がある。なお、編み方は、リブ編みやパイル編みなどを用いることができる。
糸の材料は、吸水性（つまり吸汗性）があれば、とくに制限がなく、綿、絹、人絹、合成糸などを任意に用いてよい。さらに、紫外線の照射量を抑制する機能のある糸を用いると、日焼けも防止でき、涼感を感じさせることができる。
【０００９】
製法はつぎのとおりである。図２に示すように、まず、一重の状態で筒状に編み上げる。この編物品の伸縮性は、幅Ｗ方向に多く発現し、長さＬ方向には多少発現するようにすればよい。
上記のように、図２に示す一重に編み上げると、その半製品を図３に示すように、上記の編物品を二重に折り返し、そのうえで両端の端縁ｅ，ｅ同士を突き合わせて、糸で縫い合わせ、さらに裏返すと、本実施形態の吸汗吸水衣料品１として完成する。このように完成した状態で、寸法は下記の範囲が適切である。幅Ｗは１３〜２３ｃｍが好ましく、とくに、１５〜２０ｃｍがより好ましい。長さＬは１５〜３０ｃｍが好ましく、とくに、２０〜２５ｃｍがより好ましい。
【００１０】
本実施形態の吸汗吸水衣料品１は、伸縮性を有するが、幅Ｗ方向に多くの伸縮性が発現するように編み上げられている。
したがって、上記の寸法であると、頭に被せてもきつすぎず、首に入れても緩すぎず、大人であれば男女兼用で無理なく使用することができる。
【００１１】
図１の（イ）図は、図３に示すように作られた吸汗吸水衣料品１を二重に折り返した状態であり、（ロ）図は折り返さず伸ばした状態を示している。（イ）図の状態では二重に編まれたものを折り返している。（ロ）図の状態では、長く延びているので、覆う面積が広くなり、使い方の自由度が高くなる。
【００１２】
図４は本実施形態の吸汗吸水衣料品の使用方法を示している。
（Ａ）図は首に巻いた使用法を示している。この場合は二重折りして、首に入れればよい。首まわりの汗を吸収したり、プールや風呂から上がった後の水分取りに使用でき、かつ首の日焼けを防止することができる。
（Ｂ）図はヘアーバンドとしての使用法を示している。この場合も二重折りして頭に被せればよい。耳や額の部分で汗を吸収したり、プールや風呂から上がった後の水分取りに使用でき、日焼けを防止することができる。
（Ｃ）図は帽子あるいはターバンのように被る使用法を示している。この場合は、二重折りせず一重の状態で伸ばしたまま頭に被るとよい。耳を覆うように被ることも可能であり、上部の余った部分は自然と折れ畳まれる。頭髪の汗を吸収したり、プールや風呂から上がった後の水分取りに使用することができる。
【００１３】
以上のほか、使い方は自由であり、できるだけ広げて使うと、日焼け防止の効果が高くなる。
【図面の簡単な説明】
【００１４】
【図１】本考案の一実施形態に係る吸汗吸水衣料品１を示し、（イ）図は二つ折りした状態の斜視図、（ロ）図は二つ折りにしていない状態の斜視図である。
【図２】同実施形態に係る吸汗吸水衣料品１の一重の状態での平面図である。
【図３】同実施形態に係る吸汗吸水衣料品１の二重に折り返して縫い合わせる状態を示す斜視図である。
【図４】（Ａ）図は首に巻いて使用している状態、（Ｂ）図はヘアーバンドとして使用している状態、（Ｃ）図は帽子あるいはターバンのように被る使用法の説明図である。
【符号の説明】
【００１５】
１    吸汗吸水衣料品
【図１】
0003118661.tif 000003
【図２】
0003118661.tif 000004
【図３】
0003118661.tif 000005
【図４】
0003118661.tif 000006